(57)【要約】      （修正有）【課題】上着やズボン等の衣類を縦列式に連結して掛け吊るしても衣類が簡単にズレて脱落しない、各上段に掛けられた衣類の柄違いや色違いを違和感無く見定めできる縦列式ハンガーを提供する。【解決手段】縦列ハンガー本体６、７の骨格構造は、従来からの略三角形状の形成とし、本体肩掛け部と底部横桟と中間部横桟とで構成した。最上段の縦列式ハンガーＡタイプ６と縦列式ハンガーＢタイプ７の多数段用を設け、上段より順次縦列式に連結した構造とした。ハンガーＡタイプ６とＢタイプ７最上部のそれぞれに略鉤の手状の横長特大フックと横長フックを設けて、それぞれの横桟正面中央側部に設けた横長で略四角形箱状のフック部挿入受け枠５にはめ込み装着固定した。又、そのハンガーＡタイプ６とＢタイプ７それぞれの最頂部中央に、合成樹脂、金属製を素材とした略湾曲状で回動自在の補助フック３・３ａ・３ｂ・３ｃ・３ｄを設けた。【選択図】図１
2013094648.tif 000002
【特許請求の範囲】
【請求項１】
縦列ハンガー本体６・７の骨格構造は、従来からの略三角形状の形成とし、本体肩掛け部と底部横桟と中間部横桟とで構成されて成ることと、最上段の縦列式ハンガーＡタイプ６と縦列式ハンガーＢタイプ７の多数段用を有し上段より順次縦列式に連結して成ることを特徴とした連結式縦列ハンガー。
【請求項２】
請求項１記載の縦列ハンガー本体６・７において、さらに、その本体の素材を合成樹脂、合成ゴム、合成繊維、合成紙、木、竹、金属としたことと、掛ける衣類の両肩部内側が縦列ハンガーの両肩幅部を十分に覆うことが出来る範囲の寸法としたことを特徴とした連結式縦列ハンガー。
【請求項３】
請求項１記載の本体肩掛け部において、さらに、そのハンガーＡタイプ６とＢタイプ７最上部のそれぞれに略鉤の手状の横長特大フックと横長フックを設けたことと、連結した縦列ハンガー全体の均衡と略垂直姿勢を保つ為に、それぞれの前記フックの正面視横幅をそれぞれの側面視横幅以上のより大幅にしたことを特徴とした連結式縦列ハンガー。
【請求項４】
請求項１記載の底部横桟において、さらに、そのハンガーＡタイプ６とＢタイプ７それぞれの横桟正面中央側部に横長で略四角形箱状のフック部挿入受け枠５を設けたことを特徴とした連結式縦列ハンガー。
【請求項５】
請求項１記載の縦列ハンガー本体６・７において、さらに、そのハンガーＡタイプ６とＢタイプ７それぞれの最頂部中央に、合成樹脂、金属製を素材とした略湾曲状で回動自在の補助フック３・３ａ・３ｂ・３ｃ・３ｄを有することを特徴とした連結式縦列ハンガー。
【請求項６】
請求項１記載の中間部横桟において、さらに、その利用方法をズボン及びスカートをかけた場合に、各縦列ハンガーの横桟正面中央側部に設けたフック部挿入受け枠５を、掛けたズボン、スカート類が覆いかぶせることを防ぐ目的で備えたことを特徴とした連結式縦列ハンガー。
【発明の詳細な説明】
【技術分野】
【０００１】  本発明は、従来から使用されている衣類用ハンガーに関する技術である。
【背景技術】
【０００２】  従来からの縦列式衣類用ハンガーには、特許文献１のように、通常の衣類用ハンガー本体中央最上部にフック掛け部を設け、そのフック掛け部に２段目の衣類用ハンガー本体最頂部に設けた金属線を材質とする略湾曲状のフック部を引っ掛け、縦列に連続して衣類を掛けられるようにした衣類ハンガーであった。
特許文献１のような従来の技術を実施した場合では略垂直姿勢の状態は確保されるが、掛けた衣類の左右の均衡状態は不安定で、連結した上段に掛けられた衣類を取り外したり、背広などの比較的重い衣類を掛け直すような場合に、下段以降に掛けられた衣類がズレ落ちることが生じて不便であった。
確かに特許文献１の技術では、フック部の横ズレ脱落を防止する目的で掛止溝が形成されているが、その様な溝程度では比較的重い衣類の横ズレ脱落を防止することは不十分であり使い勝手が悪かった。
又、特許文献１の技術では、上着とズボンを同時に縦列式に掛けた場合の不具合を考慮したものと思えるが、本来なら上段のハンガー本体の下部中央に位置するところにフック掛け部を設けて衣類を掛け吊るし、衣類の両肩部から下部に向かってより広く柄違いや色違いが見えるようにしようとする目的（課題）のところを、ズボンを同時に掛けた場合の不都合を回避するために、目的（課題）に逆行してわざわざ上段のハンガー本体最上部にフック掛け部を設け、下段のハンガー本体の最頂部に設けた金属線を材質とする略湾曲状のフック部の長さを必要以上に延長していることにより振り子の原理的な弊害を生じさせて、結果的に縦列に掛けられたハンガー本体の左右の均衡を阻害し不安定要素を増幅させている。
又、前記を原因として、上段に掛けられた衣類の真正面中央部に、下段に設けられた金属製の長たらしいフック部が縦断して露出されるので、整理整頓的な美観を損ねて違和感があり、店頭等における吊り下げ陳列には不向きであった。
【先行技術文献】
【特許文献】
【０００３】
【特許文献１】  特許公開２００５−２７０５８７
【０００４】
【非特許文献１】
【発明の概要】
【発明が解決しようとする課題】
【０００５】  各衣類用ハンガーに上着やズボン等の衣類を同時に掛けて吊るし、何段にでも縦列式に連結して、縦列式に掛けられた衣類が簡単にズレ脱落しないように、連結した衣類用ハンガー全体の状態が左右前後の均衡が保たれて略垂直状態が維持できる安定した構造体とすること。
洋服、和服、ズボン、ネクタイ等の特定した衣類に使用限定されず、店頭等において吊り下げ陳列に利用しても、各上段に掛けられた衣類の柄違いや色違いを違和感無く見定めでき、従来のように下段に設けられたハンガーフック部等が各上段部に掛けられた衣類の正面に露出しない整理整頓上の美観を損ねない縦列式ハンガーにすること。
【課題を解決するための手段】
【０００６】  ハンガー本体６・７の骨格構造は、従来からの略三角形状の形成とし、本体肩掛け部と底部横桟と中間部横桟とで構成されてなり、衣類の両肩部内側が衣類用ハンガーの両肩部を覆うことが出来る範囲の構造とした。
最上部の縦列式ハンガー（Ａタイプ）６をクローゼット等に備えられてあるハンガーバー２に、縦列に左右均衡のとれた状態で掛けられるように、縦列式ハンガー（Ａタイプ）６本体の最上部に略鉤の手状の横長特大フック１を設け、ハンガーバー２の上部からはめ込んで装着固定し、更にフック部を横長特大フック１としたことで掛けた縦列式ハンガー（Ａタイプ）６の左右の均衡状態が従来よりも増幅され安定した。
次に２段目以降の縦列ハンガー（Ｂタイプ）７は同一形状のものとし、最上段の縦列式ハンガー（Ａタイプ）６で確保された左右の均衡力を下段の縦列ハンガー（Ｂタイプ）７に順次伝動させるため、１段目の縦列ハンガー（Ａタイプ）６底部の横桟正面中央側部に、横長で略四角形箱状のフック部挿入受け枠５を設け、下段目（２段目）以降の縦列ハンガー（Ｂタイプ）７の最頂部に設けた略鉤の手状の横長フック４を挿入して貫通装着した。
次に、３段目以降の縦列ハンガー（Ｂタイプ）７ａ・７ｂ・７ｃにも安定した左右の均衡力を順次伝動させるため、下段目（２段目）以降の縦列ハンガー（Ｂタイプ）７底部の横桟正面中央側部に略四角形箱状のフック部挿入受け枠５ａ・５ｂ・５ｃ・５ｄを設け、３段目の縦列ハンガー（Ｂタイプ）７ａの最頂部に設けた略鉤の手状の横長フック４ａを挿入して貫通装着した。
４段目（Ｂタイプ）７ｂ、５段目（Ｂタイプ）７ｃ以降の縦列ハンガー（Ｂタイプ）を装着する場合においても、同じＢタイプの縦列ハンガーであることからして手順も同一であるので省略する。
又、縦列式ハンガー（Ａタイプ）６、（Ｂタイプ）７をクローゼット等に備えられてあるハンガーバー２に各横列に掛けて使用する場合や室内の壁際に備えられた釘などに掛けて使用する場合に備え、縦列式ハンガーのＡタイプ６、Ｂタイプ７共にその最頂部中央に略湾曲状で回動自在の補助フック３・３ａ・３ｂ・３ｃ・３ｄをそれぞれ設けた。
更に、ズボンを掛けた場合にでも不都合が生じないように、各Ａ、Ｂタイプの縦列ハンガー本体６・７の底部横桟１１・１１ａ・１１ｂ・１１ｃ・１１ｄの上段部にズボン掛け用の中間横桟１０・１０ａ・１０ｂ・１０ｃ・１０ｄを設け、［図６］に示すように正面裏側からズボンの何れかの端部を中間横桟１０ｂの上部から正面方向に折り曲げて掛け、更にそのズボンの端部を中間横桟１０ｂと底部横桟１１ｂの空間に正面裏側に向かって挿入し均衡が保たれた状態で掛ける。
前記の手順によりズボンと上着が同時に縦列式ハンガー（Ａタイプ）６、（Ｂタイプ）７に収納掛けされても、掛けたズボンが各フック部１・４を覆い隠して連結を阻むことが無いので、各縦列式ハンガー（Ａタイプ）６、（Ｂタイプ）７の底部の横桟正面中央側部に、横長で略四角形箱状のフック部挿入受け枠５・５ａ・５ｂ・５ｃ・５ｄ・を設けることが可能になり、［図６］に示すように縦列式ハンガーの各フック部１・４が各上段部に掛けられた衣類の正面に露出しないようになった。
【発明の効果】
【０００７】  各衣類用ハンガーに上着やズボン等の衣類を同時に縦列式に連結して吊るしても、各段に設けられた連結部がしっかりと固定されているので、掛けられた衣類が簡単にズレて脱落しないようになり、更に連結した衣類用ハンガー全体の左右前後の均衡が保たれて略垂直状態が維持できる安定した衣類用ハンガーになった。
又、中間部横桟を設けたことで、ズボン、スカート等を同時に掛けても不具合が生じないので上着等の特定した衣類に使用限定されず、店頭等において吊り下げ陳列に利用しても、各上段に掛けられた衣類の柄違いや色違いを違和感無く見定めでき、従来のように下段に設けられたハンガーフック部等が各上段部に掛けられた衣類の正面に露出しない構造となり、整理整頓上の美観を損ねることがない縦列式ハンガーにすることができた。
【図面の簡単な説明】
【０００８】
【図１】連結式縦列ハンガーの連結状態の正面図（表面）である。
【図２】連結式縦列ハンガーの連結状態の真上視の平面図である。
【図３】連結式縦列ハンガーのＡ・Ｂタイプ別の真上視の平面図である。
【図４】連結式縦列ハンガーの連結状態の側面図（５段の場合）である。
【図５】連結式縦列ハンガーＡ・Ｂタイプの連結部詳細断面図である。
【図６】連結式縦列ハンガーの実施図（３段の場合）である。
【図７】連結式縦列ハンガーＡ・Ｂタイプの連結部詳細図（３段の場合）である。
【発明を実施するための形態】
【０００９】  ハンガー本体６・７の骨格構造は、従来からの略三角形状の形成とし、本体肩掛け部と底部横桟と中間部横桟とで構成されてなり、衣類の両肩部内側が衣類用ハンガーの両肩部を覆うことが出来る範囲の構造とする。
クローゼット等に備えられてあるハンガーバー２に、縦列式ハンガー（Ａタイプ）６本体の最上部に設けた略鉤の手状の横長特大フック１を上部からはめ込んで装着固定する。
次に、最上段（１段目）の縦列ハンガー（Ａタイプ）６の底部横桟の正面中央側部に設けている、横長で略四角形箱状のフック部挿入受け枠５に、２段目の縦列ハンガー（Ｂタイプ）７の最頂部に設けた略鉤の手状の横長フック４を上部からはめ込んで貫通させ、２段目縦列ハンガー（Ｂタイプ）７を装着固定する。
次に、２段目縦列ハンガー（Ｂタイプ）７の底部横桟の正面中央側部に設けている、横長で略四角形箱状のフック部挿入受け枠５ａに、３段目の縦列ハンガー（Ｂタイプ）７の最頂部に設けた略鉤の手状の横長フック４ａを上部からはめ込んで貫通させ、３段目縦列ハンガー（Ｂタイプ）７ａを装着固定する。
４段目以降の連結手順については、２段目以降の縦列ハンガー（Ｂタイプ）７の構造形態が全く同一形状で手順も同じなので省略する。
又、縦列式ハンガー（Ａタイプ）６、（Ｂタイプ）７を、室内の壁際に備えられた釘などに掛けて使用する場合は、縦列式ハンガーのＡタイプ６、Ｂタイプ７の全てにおいて、その最頂部中央に略湾曲状で回動自在の補助フック３・３ａ・３ｂ・３ｃ・３ｄをそれぞれ設け必要時に備える。
【実施例】
【００１０】  店頭等の比較的天井が高い室内で陳列して使用する際には、連結式縦列ハンガーの本体首部８を任意によって長くして利用すれば、より、衣類の模様柄や色合いが鮮明に浮き出るので十分利用価値のある連結式縦列ハンガーである。【００１１】  例えば５段式に衣類を掛け吊るした場合において、２段目に掛けてある衣類を取り外すとき、まず３・４・５段目の衣類は連結して掛け吊るしたまま、片手でその３段目以降を持ち抱えて、もう一方の手で２段目の縦列ハンガーを取り外し、その３段目縦列ハンガーに設けた横長フックを、１段目のフック部挿入連結口９にはめ込んで吊るし直すことになるが、そのような動作の中でも縦列ハンガーの連結部が緩まないので、掛けたままの衣類がズレ落ちることが無い。
【産業上の利用可能性】  衣料品販売店の陳列には最適である。【００１２】
【符号の説明】
【００１３】  １    横長特大フック    （略鉤の手状）
２    ハンガーバー      （クローゼット等の吊横棒）
３    補助フック        （横列使用時の金属製略湾曲状フック）
４    横長フック        （略鉤の手状）
５    フック部挿入受け枠（略四角形箱状）
６    縦列ハンガー本体  （Ａタイプ）（肩掛け部）
７    縦列ハンガー本体  （Ｂタイプ）（肩掛け部）
８    縦列ハンガー本体首部
９    フック部挿入連結口
１０    中間部横桟        （ズボン、スカート類掛け用）
１１    底部横桟
【受託番号】
【００１４】
【図１】
2013094648.tif 000003
【図２】
2013094648.tif 000004
【図３】
2013094648.tif 000005
【図４】
2013094648.tif 000006
【図５】
2013094648.tif 000007
【図６】
2013094648.tif 000008
【図７】
2013094648.tif 000009